(57)【特許請求の範囲】
【請求項１】
レセプタクル内のアダプタに挿入接続されるコネクタを内蔵し、前記レセプタクルと接続されるコネクタ内蔵プラグであって、
前記コネクタの挿入方向後端側に位置して前記コネクタを保持し、外周面に複数の突起が形成されたインナハウジングと、
前記インナハウジングを前記挿入方向に押すバネと、
内周面に複数の凹部が形成された筒状の外殻部材とを具備し、
前記コネクタは前記挿入方向先端側に先細形状を備え、
前記凹部は前記挿入方向に向かって徐々に幅狭とされ、かつ底面が徐々に前記外殻部材の中心軸に近づくように形成されており、
前記インナハウジングは前記バネにより押されて前記突起がそれぞれ前記凹部の前記挿入方向先端側に嵌まり込むことによって位置決めされ、かつ前記突起が前記凹部に嵌まり込んだ状態で傾倒可能とされていることを特徴とするコネクタ内蔵プラグ。
【請求項２】
レセプタクル内のアダプタに挿入接続されるコネクタを内蔵し、前記レセプタクルと接続されるコネクタ内蔵プラグであって、
前記コネクタの挿入方向後端側に位置して前記コネクタを保持し、外周面に複数の凹部が形成されたインナハウジングと、
前記インナハウジングを前記挿入方向に押すバネと、
内周面に複数の突起が形成された筒状の外殻部材とを具備し、
前記コネクタは前記挿入方向先端側に先細形状を備え、
前記凹部は前記挿入方向と反対側に向かって徐々に幅狭とされ、かつ徐々に浅くされており、
前記インナハウジングは前記バネにより押されて前記突起がそれぞれ前記凹部の前記挿入方向後端側に嵌まり込むことによって位置決めされ、かつ前記突起が前記凹部に嵌まり込んだ状態で傾倒可能とされていることを特徴とするコネクタ内蔵プラグ。
【請求項３】
請求項１又は２記載のコネクタ内蔵プラグにおいて、
前記突起は周上、互いに１８０°をなす位置に形成されていることを特徴とするコネクタ内蔵プラグ。
【請求項４】
請求項１又は２記載のコネクタ内蔵プラグにおいて、
前記突起は周上、等角間隔で３つ形成されていることを特徴とするコネクタ内蔵プラグ。
【請求項５】
請求項１又は２記載のコネクタ内蔵プラグにおいて、
前記突起は周上、等角間隔で４つ形成されていることを特徴とするコネクタ内蔵プラグ。
【請求項６】
請求項１乃至５記載のいずれかのコネクタ内蔵プラグにおいて、
前記先細形状は上下左右の４つの傾斜面によって構成されていることを特徴とするコネクタ内蔵プラグ。
【請求項７】
請求項１乃至６記載のいずれかのコネクタ内蔵プラグにおいて、
複数の前記コネクタが前記インナハウジングに保持されていることを特徴とするコネクタ内蔵プラグ。
【請求項８】
請求項１乃至７記載のいずれかのコネクタ内蔵プラグにおいて、
前記コネクタが光コネクタであることを特徴とするコネクタ内蔵プラグ。
【発明の詳細な説明】
【技術分野】
【０００１】
この発明はコネクタを内蔵したコネクタ内蔵プラグに関する。
【背景技術】
【０００２】
図１１はこの種のコネクタ内蔵プラグの従来例として特許文献１に記載されている構成を示したものであり、図１１中、１１は本体部を示し、１２は本体部１１に内蔵されている光コネクタを示す。光コネクタ１２は自身と接続される相手方の光モジュールに係止されるためのラッチ部１２ａを有している。また、１３は光モジュールを収容した相手方のアダプタと結合される結合部材を示す。
【先行技術文献】
【特許文献】
【０００３】
【特許文献１】特開２０１３−４４９５２号公報
【発明の概要】
【発明が解決しようとする課題】
【０００４】
図１１に示したような構成を有する従来のコネクタ内蔵プラグでは、光コネクタ１２は本体部１１内に固定されて配置されている。従って、このコネクタ内蔵プラグの光コネクタ１２が接続される相手方の光モジュールと、結合部材１３が結合され、本体部１１が嵌め込まれる相手方のレセプタクル（特許文献１ではアダプタと称している）との位置精度が悪いと、コネクタ内蔵プラグが接続できないといった問題が発生する。
【０００５】
この発明の目的はこのような問題に鑑み、コネクタが挿入接続される相手方レセプタクル内のアダプタの位置精度が悪くてもコネクタが良好に誘い込まれてアダプタと接続されるようにし、よって相手方レセプタクルと良好に接続できるようにしたコネクタ内蔵プラグを提供することにある。
【課題を解決するための手段】
【０００６】
請求項１の発明によれば、レセプタクル内のアダプタに挿入接続されるコネクタを内蔵し、レセプタクルと接続されるコネクタ内蔵プラグは、コネクタの挿入方向後端側に位置してコネクタを保持し、外周面に複数の突起が形成されたインナハウジングと、インナハウジングを前記挿入方向に押すバネと、内周面に複数の凹部が形成された筒状の外殻部材とを具備し、コネクタは前記挿入方向先端側に先細形状を備え、前記凹部は前記挿入方向に向かって徐々に幅狭とされ、かつ底面が徐々に外殻部材の中心軸に近づくように形成されており、インナハウジングはバネにより押されて前記突起がそれぞれ前記凹部の前記挿入方向先端側に嵌まり込むことによって位置決めされ、かつ前記突起が前記凹部に嵌まり込んだ状態で傾倒可能とされる。
【０００７】
請求項２の発明によれば、レセプタクル内のアダプタに挿入接続されるコネクタを内蔵し、レセプタクルと接続されるコネクタ内蔵プラグは、コネクタの挿入方向後端側に位置してコネクタを保持し、外周面に複数の凹部が形成されたインナハウジングと、インナハウジングを前記挿入方向に押すバネと、内周面に複数の突起が形成された筒状の外殻部材とを具備し、コネクタは前記挿入方向先端側に先細形状を備え、前記凹部は前記挿入方向と反対側に向かって徐々に幅狭とされ、かつ徐々に浅くされており、インナハウジングはバネにより押されて前記突起がそれぞれ前記凹部の前記挿入方向後端側に嵌まり込むことによって位置決めされ、かつ前記突起が前記凹部に嵌まり込んだ状態で傾倒可能とされる。
【０００８】
請求項３の発明では請求項１又は２の発明において、前記突起は周上、互いに１８０°をなす位置に形成されているものとされる。
【０００９】
請求項４の発明では請求項１又は２の発明において、前記突起は周上、等角間隔で３つ形成されているものとされる。
【００１０】
請求項５の発明では請求項１又は２の発明において、前記突起は周上、等角間隔で４つ形成されているものとされる。
【００１１】
請求項６の発明では請求項１乃至５のいずれかの発明において、前記先細形状は上下左右の４つの傾斜面によって構成されているものとされる。
【００１２】
請求項７の発明では請求項１乃至６のいずれかの発明において、複数のコネクタがインナハウジングに保持されているものとされる。
【００１３】
請求項８の発明では請求項１乃至７のいずれかの発明において、コネクタが光コネクタとされる。
【発明の効果】
【００１４】
この発明によれば、コネクタを保持するインナハウジングは初期位置に位置決めされた状態で傾倒可能とされ、またコネクタの先端は先細形状とされている。よって、相手方レセプタクル内のアダプタの位置精度が悪く、コネクタ内蔵プラグをレセプタクルに挿入した際にコネクタの先端がアダプタの開口エッジに突き当たったとしてもコネクタはすぐさま傾いて開口に誘い込まれるものとなっており、またレセプタクルへの挿入によりインナハウジングは後退してフローティングする構造となっている。
【００１５】
従って、レセプタクル内のアダプタの位置精度が悪くても、この発明によるコネクタ内蔵プラグによれば、支障なくレセプタクルに接続することができる。
【図面の簡単な説明】
【００１６】
【図１】Ａはこの発明によるコネクタ内蔵プラグの一実施例を示す正面図、Ｂはその側面図、Ｃはその斜視図。
【図２】図１ＡのＤ−Ｄ線拡大断面図。
【図３】Ａは図２におけるインナハウジングの正面図、Ｂはその側面図、Ｃ，Ｄはその斜視図。
【図４】Ａは図１における外殻部材の正面図、Ｂはその側面図、Ｃはその背面図、Ｄはその斜視図。
【図５】Ａは図４ＢのＥ−Ｅ線拡大断面図、Ｂは図４ＡのＦ−Ｆ線拡大断面図。
【図６】Ａはコネクタ内蔵プラグが接続されるレセプタクルの正面図、Ｂはその側面図、Ｃはその斜視図。
【図７−１】コネクタ内蔵プラグとレセプタクルの接続過程を説明するための図（その１）。
【図７−２】コネクタ内蔵プラグとレセプタクルの接続過程を説明するための図（その２）。
【図７−３】コネクタ内蔵プラグとレセプタクルの接続過程を説明するための図（その３）。
【図８】インナハウジングの突起と外殻部材の凹部の関係を説明するための図。
【図９】Ａはこの発明によるコネクタ内蔵プラグの他の実施例におけるインナハウジングの正面図、Ｂはその側面図、Ｃ，Ｄはその斜視図。
【図１０】Ａはこの発明によるコネクタ内蔵プラグの他の実施例における外殻部材の正面図、Ｂはその側面図、Ｃはその背面図、ＤはＢのＦ−Ｆ線断面図、ＥはＡのＧ−Ｇ線断面図。
【図１１】コネクタ内蔵プラグの従来例を示す断面図。
【発明を実施するための形態】
【００１７】
この発明の実施形態を図面を参照して実施例により説明する。
【００１８】
図１はこの発明によるコネクタ内蔵プラグの一実施例の外観を示したものであり、図２はその断面構造を示したものである。この例ではコネクタ内蔵プラグ２００は光コネクタ２０とインナハウジング３０と外殻部材４０とコイルバネ５０とストッパ６０とカップリング７０とコイルバネ８０とグランドナット９０とブッシング１００とＯリング１１０，１２０，１３０とによって構成されている。なお、図１，２中、３００は光ケーブルを示し、３１０は光ケーブル３００から取り出された光ファイバを示す。
【００１９】
図３はインナハウジング３０と、インナハウジング３０に保持された光コネクタ２０の詳細を示したものであり、まず、光コネクタ２０の構成を説明する。
【００２０】
光コネクタ２０はこの例ではＬＣコネクタとされ、角筒状をなすスリーブ２１と、光ファイバ３１０の端末に取り付けられてスリーブ２１内に配置されるフェルール２２と、スリーブ２１の後方に配置されたストッパ２３と、スライダ２４とを備え、さらに図３では隠れて見えないが、フェルール２２の後端側を保持するフェルールホルダと、フェルール２２がスリーブ２１の先端から突出する方向にフェルールホルダを押すコイルバネと、スライダ２４を前方（スリーブ２１方向）に押すコイルバネとを備えている。
【００２１】
角筒状をなすスリーブ２１の上面にはラッチ片２１ａが形成されており、ラッチ片２１ａはスリーブ２１の先端側に位置する部分が固定端とされ、後端側に位置する部分が遊端とされている。遊端には突起２１ｂが幅方向両側に突出して形成されている。スリーブ２１の先端には面取りが施されており、面取りによって上下左右の４つの傾斜面２１ｃ〜２１ｆが形成され、これら傾斜面２１ｃ〜２１ｆによってスリーブ２１の先端は先細形状とされている。
【００２２】
スライダ２４はストッパ２３を囲むように位置してストッパ２３に対して前後方向に変位可能とされている。スライダ２４には前方に突出する連結部２４ａが形成され、さらに連結部２４ａの先に押圧突起部２４ｂが形成されている。連結部２４ａはラッチ片２１ａの遊端側に形成された切り欠き２１ｇに通されており、押圧突起部２４ｂはラッチ片２１ａの遊端側においてラッチ片２１ａ上に位置されている。
【００２３】
上記のような構成を有する光コネクタ２０は、相手方アダプタに挿入された際、ラッチ片２１ａに形成されている突起２１ｂがアダプタに引っ掛って抜け止めされ、アダプタと接続されるものとなっている。一方、スライダ２４を後方に変位させることにより、押圧突起部２４ｂも変位し、この押圧突起部２４ｂの変位によりラッチ片２１ａの遊端側が押し下げられるものとなっており、これによりアダプタに対する突起２１ｂの引っ掛りが解除されて光コネクタ２０をアダプタから取り外すことができるものとなっている。
【００２４】
インナハウジング３０は全体として円柱状をなし、後端側は先端側より大径とされ、先端側の小径部３１と後端側の大径部３２との間には傾斜部３３が設けられている。光コネクタ２０は小径部３１の先端面に開口する収容穴３４にスライダ２４が収容されることによってインナハウジング３０に保持されている。
【００２５】
大径部３２の外周面の互いに１８０°をなす位置には突出部３５，３６が突出形成されており、突出部３５は突出部３６より周方向の幅が大きくされている。なお、これら突出部３５，３６の前面は傾斜部３３がなす傾斜面が延長された形状となっている。
【００２６】
大径部３２の外周面にはさらに突起３７が突出形成されている。突起３７はこの例では９０°間隔で４つ形成されており、４つのうち２つは突出部３５，３６が形成されている角度位置と一致されている。突起３７は大径部３２から傾斜部３３にわずかにかかって形成されており、突出部３５，３６の角度位置と一致して形成されている突起３７は傾斜部３３と突出部３５，３６とがなす傾斜面上に突出形成されている。突起３７はインナハウジング３０の前後方向に長い略長円形状をなす。なお、大径部３２の後端には大径部３２よりわずかに径が小さい突部３８が突出形成されている。
【００２７】
光コネクタ２０の挿入方向後端側に位置して光コネクタ２０を保持したインナハウジング３０は外殻部材４０内に収容される。図４及び５は外殻部材４０の詳細を示したものである。
【００２８】
外殻部材４０は全体として筒状をなし、基部４１と、基部４１から前方に突出形成された挿入部４２とを有する。挿入部４２は相手方レセプタクルに挿入される部分であり、一対の接続片４３を備えている。一対の接続片４３は挿入部４２の上下に位置して設けられており、先端には互いに外向きに爪４３ａが突出形成されている。挿入部４２の左右の外側面には挿入部４２の突出方向に延びる溝４４がそれぞれ形成されており、溝４４の延伸方向において中間より基部４１寄りには溝４４の底面が１段高くされて段部４４ａが形成されている。また、挿入部４２寄りの基部４１の外周面には溝４５が環状に形成されている。
【００２９】
円筒状をなす基部４１の後端側の内周面にはねじ４１ａが形成されており、このねじ４１ａより奥側の基部４１の内周面には溝４６が円筒の中心軸と平行に延伸されて形成されている。溝４６はこの例では９０°間隔で４つ形成されており、４つの溝４６のうち、上方に位置する溝４６は他の３つの溝４６より幅広とされている。
【００３０】
溝４６が形成されている部分の基部４１の内径に対し、挿入部４２が突出形成されている基部４１の先端側の内径は傾斜面４７を介して小さくされており、この傾斜面４７には凹部４８が各溝４６の延長上に位置して４つ形成されている。凹部４８は挿入部４２側に向かって徐々に幅狭とされており、また凹部４８の底面は挿入部４２側に向かって徐々に基部４１の中心軸に近づくように形成されている。即ち、この例では９０°間隔で４つの凹部４８が形成されているため、互いに対向する凹部４８の底面の間隔は挿入部４２側に向かって徐々に狭まるように形成されている。
【００３１】
光コネクタ２０を保持したインナハウジング３０は外殻部材４０の後端から（基部４１側から）外殻部材４０内に入れ込まれる。この際、突出部３５，３６が外殻部材４０の溝４６にそれぞれ挿入されることによってインナハウジング３０は回転が規制され、回転方向の位置決めがなされる。なお、インナハウジング３０の幅広の突出部３５は外殻部材４０の幅広の溝４６に挿入される。
【００３２】
光コネクタ２０を保持したインナハウジング３０が入れ込まれた後、外殻部材４０内にはコイルバネ５０が入れ込まれ、次にストッパ６０がねじ込まれて外殻部材４０の後端に取り付けられる。この際、ストッパ６０と外殻部材４０との間にはＯリング１１０が挟み込まれる。コイルバネ５０はインナハウジング３０とストッパ６０とによって挟み込まれて圧縮された状態となり、このコイルバネ５０によってインナハウジング３０は前方に（アダプタへの光コネクタ２０の挿入方向に）押される。４つの突起３７は外殻部材４０の凹部４８にそれぞれ位置して凹部４８の先端側に嵌まり込み、凹部４８の先端に突き当たった状態となる。このように突起３７が凹部４８の先端側に嵌まり込むことによってインナハウジング３０は位置決めされ、これにより光コネクタ２０は外殻部材４０の挿入部４２内において初期位置に位置決めされる。
【００３３】
カップリング７０はこの例では外形が８角形をなす筒状とされ、８角形部７１の先端には円筒部７２がわずかに突出して設けられている。円筒部７２の内周面には段部７３が形成されており、円筒部７２における段部７３より先端側の内径は後端側の内径より大とされている。８角形部７１の内径は円筒部７２寄りの部分を除いて円筒部７２の内径より大とされている。
【００３４】
カップリング７０は外殻部材４０の先端から（挿入部４２側から）外殻部材４０の回りにコイルバネ８０を嵌め込んだ後、外殻部材４０の回りに嵌め込まれ、段部７３が外殻部材４０の一対の接触片４３の爪４３ａを乗り込え、爪４３ａの後方に位置するまで押し込まれる。コイルバネ８０は圧縮された状態となり、カップリング７０はコイルバネ８０により押されて段部７３が爪４３ａに突き当たった状態となり、爪４３ａによって抜け止めされる。なお、カップリング７０の後端側と外殻部材４０との間にはＯリング１３０が挟み込まれ、またカップリング７０の円筒部７２の外周面にはＯリング１２０が取り付けられる。
【００３５】
一方、ストッパ６０の後端側にはブッシング１００が嵌め込まれた後、グランドナット９０がストッパ６０にねじ込まれて取り付けられる。光ケーブル３００はグランドナット９０の穴９１、ブッシング１００の穴１０１を通ってストッパ６０の穴６１内に位置され、光ファイバ３１０はストッパ６０の穴６１、コイルバネ５０の内部、インナハウジング３０の収容穴３４と連通する穴３４ａを通って光コネクタ２０に至る。光ケーブル３００はグランドナット９０のねじ込みにより圧縮されたブッシング１００によって挟み込まれて固定される。
【００３６】
図６は上記のような構成を有するコネクタ内蔵プラグ２００が接続されるレセプタクル４００を示したものであり、レセプタクル４００は例えば伝送装置等の筺体５００にねじ４１０によりねじ止めされて取り付けられている。レセプタクル４００内には光モジュール４２０の一端に形成されているアダプタ４２１が挿入配置されている。光モジュール４２０はこの例ではＳＦＰ（Small Form factor Pluggable）モジュールとされており、基板６００上に実装されている。基板６００は筺体５００とは別の固定部材（図示せず）に固定されており、このようにレセプタクル４００と光モジュール４２０は一般に異なる部材にそれぞれ固定されるため、レセプタクル４００内のアダプタ４２１の位置精度は良好とは言えず、位置ずれが生じやすいものとなっている。
【００３７】
図７−１〜図７−３は光コネクタ２０が挿入接続されるアダプタ４２１を収容しているレセプタクル４００とコネクタ内蔵プラグ２００の接続過程（１）〜（９）を、レセプタクル４００内におけるアダプタ４２１の位置精度が悪い場合を例として順に示したものであり、以下、接続過程を順に説明する。なお、（１）は接続前の状態を示す。
【００３８】
（２）コネクタ内蔵プラグ２００をレセプタクル４００に挿入する。外殻部材４０の挿入部４２はレセプタクル４００内に挿入され、光コネクタ２０先端の面取りによって形成された傾斜面２１ｅはアダプタ４２１の光コネクタ２０が挿入される開口４２２のエッジＰに突き当たる。
【００３９】
（３）光コネクタ２０を保持しているインナハウジング３０は前述したように４つの突起３７が外殻部材４０の凹部４８に嵌まり込んだだけの状態で組み込まれており、つまり４つの突起３７のみが外殻部材４０と接触しているため、その中心軸と交差する方向の力が加わると、容易に傾倒することができるものとなっている。よって、インナハウジング３０に保持されている光コネクタ２０の傾斜面２１ｅがアダプタ４２１のエッジＰに突き当たって押し付けられると、このような中心軸と交差する方向の力がインナハウジング３０に加わるため、インナハウジング３０はいきなり傾き、つまり光コネクタ２０はいきなり傾く。θ１は光コネクタ２０の傾き角度を示す。
【００４０】
（４）光コネクタ２０は傾きが大きくなりながら、アダプタ４２１の開口４２２内に挿入される。光コネクタ２０の傾き角度はθ２（θ２＞θ１）となる。インナハウジング３０は上記のように傾倒可能とされ、突起３７と外殻部材４０との間には隙間ができるため、中心軸と直交方向に動きうるフローティング構造となっている。インナハウジング３０は光コネクタ２０と共に傾きながら後退する。
【００４１】
（５）さらに、コネクタ内蔵プラグ２００を挿入すると、光コネクタ２０は挿入と共に傾きが矯正され、傾き角度θ３はθ２より小さくなる。レセプタクル４００に設けられている一対のロック片４３０は外殻部材４０に形成されている段部４４ａに乗り上げる。
【００４２】
（６）光コネクタ２０のフェルール２２先端面がアダプタ４２１内のフェルール（図示せず）先端面に突き当たり、図７−２（６）では表されていないが、光コネクタ２０のラッチ片２１ａの突起２１ｂがアダプタ４２１に引っ掛ってアダプタ４２１に対する光コネクタ２０の接続が完了する。
【００４３】
（７）さらに、コネクタ内蔵プラグ２００を挿入する。カップリング７０はレセプタクル４００のロック片４３０に突き当たった状態となっている。
【００４４】
（８）ロック片４３０の先端が外殻部材４０の段部４４ａから段部４４ａの奥の溝４４に落ち込む。
【００４５】
（９）カップリング７０がレセプタクル４００内に入り込む。以上により、コネクタ内蔵プラグ２００とレセプタクル４００の接続が完了する。
【００４６】
以上説明したように、この発明によるコネクタ内蔵プラグ２００は、光コネクタ２０を保持したインナハウジング３０が容易に傾倒可能とされており、これにより光コネクタ２０の先端の先細形状を構成する傾斜面２１ｅ（あるいは２１ｃ，２１ｄ，２１ｆ）が相手方アダプタ４２１の開口４２２のエッジに突き当たると、光コネクタ２０がすぐさま傾いて開口４２２内に誘い込まれるものとなっている。よって、レセプタクル４００内のアダプタ４２１の位置精度が悪くても光コネクタ２０を良好に接続することができ、つまりコネクタ内蔵プラグ２００を良好にレセプタクル４００に接続することができる。また、このように光コネクタ２０は開口４２２のエッジに突き当たってもすぐさま傾くため、コネクタ内蔵プラグ２００を接続する際の押し込む力によって光コネクタ２０が破損するといったことは発生しない。
【００４７】
なお、インナハウジング３０は押し込まれると（後退すると）、外殻部材４０に対してその中心軸と直交方向に動きうるフローティング構造となっているため、光コネクタ２０と相手方アダプタ４２１の位置がずれていても、上述したように光コネクタ２０を良好に接続することができる。
【００４８】
コネクタ内蔵プラグ２００をレセプタクル４００に接続した状態では、インナハウジング３０は図７−３（９）に示したように後退しており、つまり突起３７は外殻部材４０の凹部４８から外れた状態になるが、レセプタクル４００からのコネクタ内蔵プラグ２００離脱時にはインナハウジング３０はコイルバネ５０によって押し戻されるため、突起３７は凹部４８に嵌まり込み、凹部４８の先端に突き当たった初期位置に必ず戻る。この初期位置に戻った状態ではインナハウジング３０はフローティングせず、所定の位置に位置決めされる。
【００４９】
図８Ａはこのように突起３７が凹部４８の先端側に嵌まり込んでインナハウジング３０が外殻部材４０に対し、位置決めされている状態を示したものであり、図８Ｂはコネクタ内蔵プラグ２００の離脱時にインナハウジング３０が押し戻されて初期位置に戻る様子を示したものである。
【００５０】
上述したコネクタ内蔵プラグ２００ではインナハウジング３０の外周面に突起３７を形成し、外殻部材４０の内周面に突起３７が嵌まり込む凹部４８を形成しているが、突起３７と凹部４８の形成はこれとは逆であってもよく、即ち外殻部材に突起を形成し、インナハウジングに凹部を形成する構成としてもよい。図９及び１０はこのような構成としたインナハウジング３０′及び外殻部材４０′をそれぞれ示したものであり、図９は光コネクタ２０を保持した状態として示している。なお、図３に示したインナハウジング３０と対応する部分、図４，５に示した外殻部材４０と対応する部分にはそれぞれ同一符号を付してある。
【００５１】
インナハウジング３０′は図９に示したように大径部３２の外周面から傾斜部３３にかけて凹部３９が形成されたものとなっている。凹部３９は９０°間隔で４つ形成されており４つのうち２つは突出部３５，３６が形成されている角度位置と一致されている。凹部３９はアダプタ４２１への光コネクタ２０の挿入方向と反対側に向かって徐々に幅狭とされ、かつ徐々に浅くされている。
【００５２】
外殻部材４０′は図１０に示したように基部４１の内周面に９０°間隔で４つ形成されている溝４６の延長上に突起４９がそれぞれ形成されたものとなっている。
【００５３】
このようなインナハウジング３０′及び外殻部材４０′を有するコネクタ内蔵プラグでは、インナハウジング３０′はコイルバネ５０により押されて外殻部材４０′の突起４９が凹部３９の後端側に嵌まり込むことによって初期位置に位置決めされる。また、インナハウジング３０′は突起４９が凹部３９に嵌まり込んだ状態でインナハウジング３０と同様、傾倒可能とされる。
【００５４】
上述した実施例では突起３７及び４９の数をいずれも４つとし、４つの突起が傾斜した底面を有する凹部にそれぞれ嵌まり込む構成としているが、インナハウジングを初期位置に位置決めするためには突起は少なくとも２つあればよい。突起が２つの場合、それら突起は周上、互いに１８０°をなす位置に形成するのが好ましい。また、突起の数を３つとしてもよく、この場合は突起は例えば、周上、等角間隔（１２０°間隔）で形成するのが好ましい。なお、突起にはコイルバネ５０の押す力が加わるため、突起の数が多ければ、その分、バネ力を分散させることができ、突起の数は多い方がバネ力による突起の損傷を回避する上で有利となる。
【００５５】
なお、光コネクタ２０のスリーブ２１の先端側は面取りにより四角錐台状をなす先細形状としているが、これに限らず、円錐台状の先細形状としてもよい。
【００５６】
また、インナハウジング３０，３０′は光コネクタ２０を１つ保持するものとなっているが、複数の光コネクタ２０を保持するものとしてもよい。
【００５７】
さらに、上述した例ではコネクタ内蔵プラグは光コネクタ２０を内蔵するものとなっているが、内蔵するコネクタは例えば電気コネクタであってもよい。
【符号の説明】
【００５８】
１１    本体部                              １２    光コネクタ
１２ａ    ラッチ部                          １３    結合部材
２０    光コネクタ                          ２１    スリーブ
２１ａ    ラッチ片                          ２１ｂ    突起
２１ｃ〜２１ｆ    傾斜面                    ２１ｇ    切り欠き
２２    フェルール                          ２３    ストッパ
２４    スライダ                            ２４ａ    連結部
２４ｂ  押圧突起部                          ３０，３０′    インナハウジング
３１    小径部                              ３２    大径部
３３    傾斜部                              ３４    収容穴
３４ａ    穴                                ３５，３６    突出部
３７    突起                                ３８    突部
３９    凹部                                ４０，４０′    外殻部材
４１    基部                                ４１ａ    ねじ
４２    挿入部                              ４３    接続片
４３ａ    爪                                ４４    溝
４４ａ    段部                              ４５，４６    溝
４７    傾斜面                              ４８    凹部
４９    突起                                ５０    コイルバネ
６０    ストッパ                            ６１    穴
７０    カップリング                        ７１    ８角形部
７２    円筒部                              ７３    段部
８０    コイルバネ                          ９０    グランドナット
９１    穴                                  １００    ブッシング
１０１    穴                                １１０，１２０，１３０    Ｏリング
２００    コネクタ内蔵プラグ                ３００    光ケーブル
３１０    光ファイバ                        ４００    レセプタクル
４１０    ねじ                              ４２０    光モジュール
４１０    ねじ                              ４２０    光モジュール
４２１    アダプタ                          ４２２    開口
６００    基板
【要約】      （修正有）【課題】相手方レセプタクル内のアダプタの位置精度が悪くても支障なく接続できるコネクタ内蔵プラグを提供する。【解決手段】コネクタ内蔵プラグ２００は、コネクタ（光コネクタ２０）の挿入方向後端側に位置してコネクタを保持し、外周面に複数の突起３７が形成されたインナハウジング３０と、インナハウジング３０を挿入方向に押すバネ（コイルバネ５０）と、内周面に複数の凹部４８が形成された筒状の外殻部材４０とを具備する。コネクタは挿入方向先端側に先細形状を備え、凹部４８は挿入方向に向かって徐々に幅狭とされ、かつ底面が徐々に外殻部材４０の中心軸に近づくように形成されている。インナハウジング３０はバネにより押されて突起３７がそれぞれ凹部４８の先端側に嵌まり込むことによって位置決めされ、かつ突起３７が凹部４８に嵌まり込んだ状態で傾倒可能とされる。【選択図】図２【図１】
0005860948.tif 000002
【図２】
0005860948.tif 000003
【図３】
0005860948.tif 000004
【図４】
0005860948.tif 000005
【図５】
0005860948.tif 000006
【図６】
0005860948.tif 000007
【図８】
0005860948.tif 000008
【図９】
0005860948.tif 000009
【図１０】
0005860948.tif 000010
【図１１】
0005860948.tif 000011
【図７−１】
0005860948.tif 000012
【図７−２】
0005860948.tif 000013
【図７−３】
0005860948.tif 000014